(57)【要約】【課題】  筐体内の温度管理を効率良く行うことで、筐体内の過熱状態を効率的に且つ可及的に解消する遊技機を提供する。【解決手段】  例えば筐体内の空気を外部に排気する送風機（１１０）等の冷却手段を備える回胴式遊技機であって、温度管理手段（１４０）は内気温度検知手段（１２０）により検知した筐体内温度が設定された閾値より高いとき送風機を駆動し、筐体内温度が閾値よりも低いとき停止させる。これにより、筐体内の温度管理を効率良く行う。【選択図】  図５
2006167357.tif 000002
【特許請求の範囲】
【請求項１】
箱状の筐体内に、少なくとも、図柄表示装置と、前記図柄表示装置の動作制御を行う制御装置と、前記図柄表示装置及び前記制御装置に所要の電力を供給する電源装置とを収容する遊技機であって、
前記筐体の天板に形成された通風部に取り付けられ筐体内の空気を外部に排気する排気手段と、
前記筐体内の気温を検知する内気温度検知手段と、
前記筐体内の気温を管理する温度管理制御手段とを備え、
前記温度管理制御手段は、前記内気温度検知手段により検知した内気温度が設定された閾値より高い場合、前記排気手段を駆動状態に制御し、前記検知した内気温度が前記閾値よりも低い場合、前記排気手段を停止状態に制御することを特徴とする遊技機。
【請求項２】
前記内気温度検知手段の温度センサは、前記排気手段の吸気口に設けられていることを特徴とする請求項１に記載の遊技機。
【請求項３】
前記内気温度検知手段の温度センサは、サーミスタであることを特徴とする請求項１又は２に記載の遊技機。
【請求項４】
前記筐体外の外気温度を検知する外気温度検知手段を更に備え、
前記温度管理制御手段は、前記外気温度検知手段により検知した外気温度が予め定められた基準値温度以下であれば前記閾値を当該基準値温度に設定し、前記検知した外気温度が前記基準値温度より高い場合には前記閾値を当該外気温度に連動して設定する、非線形な閾値設定特性を有していることを特徴とする請求項１〜３の何れか１項に記載の遊技機。
【請求項５】
前記外気温度検知手段の温度センサは、サーミスタであることを特徴とする請求項４に記載の遊技機。
【請求項６】
前記温度管理制御手段は、前記排気手段が停止状態において、前記閾値よりも一定以上の内気温度を前記内気温度検知手段により検知した時に前記排気手段を駆動状態に制御し、前記排気手段が駆動状態において、前記閾値よりも一定以下の内気温度を前記内気温度検知手段により検知した時に前記排気手段を停止状態に制御する、ヒステリシスを有したオンオフ制御をすることを特徴とする請求項１〜５の何れか１項に記載の遊技機。
【請求項７】
前記排気手段は、回転ファンを備える送風機であることを特徴とする請求項１〜６の何れか１項に記載の遊技機。
【請求項８】
箱状の筐体内に、少なくとも、図柄表示装置と、前記図柄表示装置の動作制御を行う制御装置と、前記図柄表示装置及び前記制御装置に所要の電力を供給する電源装置とを収容する遊技機であって、
前記筐体外の外気と熱交換可能な熱交換装置と、
前記熱交換装置が介在し、前記筐体内において前記電源装置と前記図柄表示装置及び前記制御装置とに近接しながら連絡する循環経路を形成する管部材と、
前記循環経路に充填され流動性を有する冷却媒体と、
前記冷却媒体を前記循環経路で循環させるポンプ装置と、
前記筐体内の気温を検知する内気温度検知手段と、
前記筐体内の気温を管理する温度管理制御手段とを備え、
前記温度管理制御手段は、前記内気温度検知手段により検知した内気温度が設定される閾値より高い場合、前記ポンプ装置を駆動して前記冷却媒体を循環させ、前記検知した内気温度が前記閾値よりも低い場合、前記ポンプ装置を停止状態に制御することを特徴とする遊技機。
【請求項９】
前記内気温度検知手段の温度センサは、サーミスタであることを特徴とする請求項８に記載の遊技機。
【請求項１０】
前記筐体外の外気温度を検知する外気温度検知手段を更に備え、
前記温度管理制御手段は、前記外気温度検知手段により検知した外気温度が予め定めた基準値温度以下であれば前記閾値を当該基準値温度に設定し、前記検知した外気温度が前記基準値温度より高い場合には前記閾値を当該外気温度に連動して設定する、非線形な閾値設定特性を有していることを特徴とする請求項８又は９に記載の遊技機。
【請求項１１】
前記外気温度検知手段の温度センサは、サーミスタであることを特徴とする請求項１０に記載の遊技機。
【請求項１２】
前記温度管理制御手段は、前記ポンプ装置が停止状態において、前記閾値よりも一定以上の内気温度を前記内気温度検知手段により検知した時に前記ポンプ装置を駆動状態に制御し、前記ポンプ装置が駆動状態において、前記閾値よりも一定以下の内気温度を前記内気温度検知手段により検知した時に前記ポンプ装置を停止状態に制御する、ヒステリシスを有したオンオフ制御をすることを特徴とする請求項８〜１１の何れか１項に記載の遊技機。
【請求項１３】
前記熱交換装置は、ラジエターであることを特徴とする請求項８〜１２の何れか１項に記載の遊技機。
【請求項１４】
前記冷却媒体は、水、油、又は水と油を混濁したエマルジョンの何れかであることを特徴とする請求項８〜１３の何れか１項に記載の遊技機。
【請求項１５】
前記冷却媒体には、潤滑剤が添加されていることを特徴とする請求項８〜１５の何れか１項に記載の遊技機。
【発明の詳細な説明】
【技術分野】
【０００１】
本発明は、スロットマシン等の遊技機に関し、詳細には筐体内の過熱状態を低減する手段が講じられた遊技機に関する。
【背景技術】
【０００２】
従来、回胴式遊技機としてスロットマシンが知られている。スロットマシンは、操作スイッチ類が配設されたフロントマスクを形成する前扉が矩形状の筐体に開閉可能に取り付けられ、周面に図柄が描かれた回転リールを有する図柄表示装置としてのリール装置と、回転リールの回転制御を行う制御基板と、リール装置及び制御基板に所要の電力を供給する電源装置等の内部機器が筐体内に収容されている。スロットマシンの筐体には、筐体の内部と外部とを連通する通気孔が複数カ所に形成され、外気を筐体内に取り入れることで、内部機器の損失熱等による温度上昇を防ぐ構造となっている。
【発明の開示】
【発明が解決しようとする課題】
【０００３】
しかし、従来のスロットマシン等の遊技機にあっては、通気孔を通る空気の自然吸排を利用して外気冷却するのみであり、内部機器を熱源とする筐体内の過熱状態を積極的に解消するものではなかった。
【０００４】
本発明は、こうした従来の問題に鑑みてなされたものであり、筐体内の温度管理を効率良く行うことで、筐体内の過熱状態を効果的に且つ可及的に解消する等の遊技機を提供することを目的としている。
【課題を解決するための手段】
【０００５】
上述した課題を解決するため、請求項１に記載の発明は、箱状の筐体内に、少なくとも、図柄表示装置と、前記図柄表示装置の動作制御を行う制御装置と、前記図柄表示装置及び前記制御装置に所要の電力を供給する電源装置とを収容する遊技機であって、前記筐体の天板に形成された通風部に取り付けられ筐体内の空気を外部に排気する排気手段と、前記筐体内の気温を検知する内気温度検知手段と、前記筐体内の気温を管理する温度管理制御手段とを備え、前記温度管理制御手段は、前記内気温度検知手段により検知した内気温度が設定された閾値より高い場合、前記排気手段を駆動状態に制御し、前記検知した内気温度が前記閾値よりも低い場合、前記排気手段を停止状態に制御することを特徴とする。
【０００６】
請求項１に記載の遊技機によれば、筐体内の温度が閾値よりも低い場合には排気手段を停止状態に制御するので、無駄な冷却動作をなくし、筐体内の温度管理を効率良く行う。また、図柄表示装置等の内部機器を熱源とする筐体内の過熱状態を効果的に且つ可及的に解消する。
【０００７】
請求項２に記載の発明は、請求項１に記載の遊技機であって、前記内気温度検知手段の温度センサは、前記排気手段の吸気口に設けられていることを特徴とする。
【０００８】
請求項２に記載の遊技機によれば、１つの温度センサで筐体内の平均的な温度を検知することができ、内気温度検知手段の構成を簡易にする。
【０００９】
請求項３に記載の発明は、請求項１又は２に記載の遊技機であって、前記内気温度検知手段の温度センサは、サーミスタであることを特徴とする。
【００１０】
請求項３に記載の遊技機によれば、サーミスタの電気抵抗の変化に基づき温度を検知するので、内気温度検知手段の構成を簡易にする。
【００１１】
請求項４に記載の発明は、請求項１〜３の何れか１項に記載の遊技機であって、前記筐体外の外気温度を検知する外気温度検知手段を更に備え、前記温度管理制御手段は、前記外気温度検知手段により検知した外気温度が予め定められた基準値温度以下であれば前記閾値を当該基準値温度に設定し、前記検知した外気温度が前記基準値温度より高い場合には前記閾値を当該外気温度に連動して設定する、非線形な閾値設定特性を有していることを特徴とする。
【００１２】
請求項４に記載の遊技機によれば、特に高温環境の稼動条件下において閾値を外気温度に連動して設定することで、熱収支のバランスが得られた時に排気手段を停止状態に制御するようにしたので、無駄な冷却動作をなくすことができる。これにより、筐体内の温度管理を効率良く行い、過熱状態を効果的に且つ可及的に解消する。
【００１３】
請求項５に記載の発明は、請求項４に記載の遊技機であって、前記外気温度検知手段の温度センサは、サーミスタであることを特徴とする。
請求項５に記載の遊技機によれば、サーミスタの電気抵抗の変化に基づき温度を検知するので、外気温度検知手段の構成を簡易にする。
【００１４】
請求項６に記載の発明は、請求項１〜５の何れか１項に記載の遊技機であって、前記温度管理制御手段は、前記排気手段が停止状態において、前記閾値よりも一定以上の内気温度を前記内気温度検知手段により検知した時に前記排気手段を駆動状態に制御し、前記排気手段が駆動状態において、前記閾値よりも一定以下の内気温度を前記内気温度検知手段により検知した時に前記排気手段を停止状態に制御する、ヒステリシスを有したオンオフ制御をすることを特徴とする。
【００１５】
請求項６に記載の遊技機によれば、閾値付近での内気温度の変動に伴う排気手段の頻繁なオンオフ動作を抑制し、制御を安定化させる。また、排気手段の経時的な性能劣化を抑制する。
【００１６】
請求項７に記載の発明は、請求項１〜６の何れか１項に記載の遊技機であって、前記排気手段は、回転ファンを備える送風機であることを特徴とする。
請求項７に記載の遊技機によれば、送風機の回転ファンを回転させることで筐体内に滞留する空気を強制的に機外へ排出し、冷却効果を高める。
【００１７】
請求項８に記載の発明は、箱状の筐体内に、少なくとも、図柄表示装置と、前記図柄表示装置の動作制御を行う制御装置と、前記図柄表示装置及び前記制御装置に所要の電力を供給する電源装置とを収容する遊技機であって、前記筐体外の外気と熱交換可能な熱交換装置と、前記熱交換装置が介在し、前記筐体内において前記電源装置と前記図柄表示装置及び前記制御装置とに近接しながら連絡する循環経路を形成する管部材と、前記循環経路に充填され流動性を有する冷却媒体と、前記冷却媒体を前記循環経路で循環させるポンプ装置と、前記筐体内の気温を検知する内気温度検知手段と、前記筐体内の気温を管理する温度管理制御手段とを備え、前記温度管理制御手段は、前記内気温度検知手段により検知した内気温度が設定される閾値より高い場合、前記ポンプ装置を駆動して前記冷却媒体を循環させ、前記検知した内気温度が前記閾値よりも低い場合、前記ポンプ装置を停止状態に制御することを特徴とする。
【００１８】
請求項８に記載の遊技機によれば、筐体内の温度が閾値よりも低い場合には排気手段を停止状態に制御するので、無駄な冷却動作をなくし、筐体内の温度管理を効率良く行う。また、図柄表示装置等の内部機器を熱源とする筐体内の過熱状態を効果的に且つ可及的に解消する。
【００１９】
請求項９に記載の発明は、請求項８に記載の遊技機であって、前記内気温度検知手段の温度センサは、サーミスタであることを特徴とする。
請求項９に記載の遊技機によれば、サーミスタの電気抵抗の変化に基づき温度を検知するので、内気温度検知手段の構成を簡易にする。
【００２０】
請求項１０に記載の発明は、請求項８又は９に記載の遊技機であって、前記筐体外の外気温度を検知する外気温度検知手段を更に備え、前記温度管理制御手段は、前記外気温度検知手段により検知した外気温度が予め定めた基準値温度以下であれば前記閾値を当該基準値温度に設定し、前記検知した外気温度が前記基準値温度より高い場合には前記閾値を当該外気温度に連動して設定する、非線形な閾値設定特性を有していることを特徴とする。
【００２１】
請求項１０に記載の遊技機によれば、特に高温環境の稼動条件下において閾値を外気温度に連動して設定することで、熱収支のバランスが得られた時にポンプ装置を停止状態に制御するようにしたので、無駄な冷却動作をなくすことができる。これにより、筐体内の温度管理を効率良く行い、過熱状態を効果的に且つ可及的に解消する。
【００２２】
請求項１１に記載の発明は、請求項１０に記載の遊技機であって、前記外気温度検知手段の温度センサは、サーミスタであることを特徴とする。
【００２３】
請求項１１に記載の遊技機によれば、サーミスタの電気抵抗の変化に基づき温度を検知するので、外気温度検知手段の構成を簡易にする。
【００２４】
請求項１２に記載の発明は、請求項８〜１１の何れか１項に記載の遊技機であって、前記温度管理制御手段は、前記ポンプ装置が停止状態において、前記閾値よりも一定以上の内気温度を前記内気温度検知手段により検知した時に前記ポンプ装置を駆動状態に制御し、前記ポンプ装置が駆動状態において、前記閾値よりも一定以下の内気温度を前記内気温度検知手段により検知した時に前記ポンプ装置を停止状態に制御する、ヒステリシスを有したオンオフ制御をすることを特徴とする。
【００２５】
請求項１２に記載の遊技機によれば、閾値付近での内気温度の変動に伴うポンプ装置の頻繁なオンオフ動作を抑制し、制御を安定化させる。また、ポンプ装置の経時的な性能劣化を抑制する。
【００２６】
請求項１３に記載の発明は、請求項８〜１２の何れか１項に記載の遊技機であって、前記熱交換装置は、ラジエターであることを特徴とする。
請求項１３に記載の遊技機によれば、ラジエターが冷却媒体と外気との間の熱交換を仲介することで外気温度に冷却した冷却媒体を筐体内に循環させることができ、効果的な冷却を可能にする。
【００２７】
請求項１４に記載の発明は、請求項８〜１３の何れか１項に記載の遊技機であって、前記冷却媒体は、水、油、又は水と油を混濁したエマルジョンの何れかであることを特徴とする。
請求項１４に記載の遊技機によれば、水、油等は、比熱が比較的大きく、また流動性を有しているので、筐体内を循環させて効果的な冷却を可能にする。
【００２８】
請求項１５に記載の発明は、請求項８〜１５の何れか１項に記載の遊技機であって、前記冷却媒体には、潤滑剤が添加されていることを特徴とする。
請求項１５に記載の遊技機によれば、ポンプ装置、熱交換装置等を含む循環系の摩擦負荷を低減し、冷却媒体を循環させる際の効率を向上させる。また、ポンプ装置等の経時的な性能劣化を抑制し長期使用を可能とする。
【発明の効果】
【００２９】
上述したように本発明の遊技機によれば、筐体内の温度が閾値よりも低い場合には冷却動作を停止するので、筐体内の温度管理を効率良く行うことができ、筐体内の過熱状態を効果的に且つ可及的に解消することができる。
【発明を実施するための最良の形態】
【００３０】
以下、本発明に係る遊技機の好適な実施形態をスロットマシンを例に、その概略構成を説明する。なお、ここでは、スロットマシンである回胴式遊技機について実施形態を説明しているが、本発明はこれに限定するものではない。本発明が適用される遊技機としては、箱状の筐体内に遊技結果を表示する図柄表示装置等の各種機器ユニットを収容する遊技機を対象としており、また、枠（木枠）で構成されるパチンコ機、及びじゃん球遊技機等であっても、枠の背面側を板材で覆う等して本発明に係る温度管理手段を適用することができる。
【００３１】
図１は、スロットマシンＳＭの外観構造を表す斜視図である。スロットマシンＳＭは、いわゆるフロントマスクを形成する前扉ＦＤが略矩形状の箱体である筐体ＭＢの開口側に対し開閉可能に取り付けられている。前扉ＦＤは、上部パネル部と下部パネル部に概ね分けられ、これらは視覚効果を高めてデザインされた硬質プラスチックにより、一体的に形成されている。また、前扉ＦＤの下部には、メダルを貯留するための受皿部を形成する受皿ユニットＴＵが設けられている。
【００３２】
前扉ＦＤの上部パネル部には、高輝度発光ダイオードを内蔵する上部ランプＵＬ及びサイドランプＳＬ、ＳＬが配置されている。また、スピーカを内蔵し遊技に係る効果音を発生させる演出用放音部ＳＡＬ、ＳＡＲが上部パネル部の左右にそれぞれ配置されている。更に、演出用放音部ＳＡＬ、ＳＡＲの間には、液晶表示ユニットＦＰＤが配置されている。なお、液晶表示ユニットＦＰＤは、遊技の演出に係る映像を主に表示するための演出用表示装置として機能する。
【００３３】
上部パネル部の中央には、略長方形の透明な表示窓ＦＷが形成されたパネルユニットＰＵが取り付けられている。そして、表示窓ＦＷを通して筐体ＭＢ内に設けられている３個のリールＲ１、Ｒ２、Ｒ３が目視されるようになっている。各リールＲ１、Ｒ２、Ｒ３は、それぞれの回転軸に沿って横方向に配置され、これにより図柄表示装置としてのリールユニットＲＵが形成されている。また、各リールＲ１、Ｒ２、Ｒ３の外周面には複数種類の図柄がほぼ等間隔で配置され、リールの外周面に表示する縦３個、横３列の図柄が表示窓ＦＷを通して目視される。
【００３４】
前扉ＦＤの中段には、遊技操作を行うためのスイッチ類が配置された操作卓ＯＰが一体的に形成されている。操作卓ＯＰには、メダルを投入するための投入口を有するメダル投入部ＭＤと、ベットボタンＢＥＴと、スタートレバーＳＴＬと、３個のストップボタンＳＴＰ１、ＳＴＰ２、ＳＴＰ３がそれぞれ配設されている。
【００３５】
ベットボタンＢＥＴは、スロットマシンＳＭの１ゲームに賭けるメダルの枚数を提示するためのボタンスイッチである。スロットマシンＳＭは、ベットボタンＢＥＴが押圧操作されることによりメダルが賭けられ、スタートレバーＳＴＬが傾倒操作されると、リールＲ１、Ｒ２、Ｒ３を一斉に回転させる。このときスロットマシンＳＭは、入賞の抽選を内部的な処理（内部抽選）で行う。そして、各ストップボタンＳＴＰ１、ＳＴＰ２、ＳＴＰ３が押圧操作されることで、対応するリールＲ１、Ｒ２、Ｒ３をそれぞれ停止させる。表示窓ＦＷに設定される有効ライン上に表示されるリール図柄の組合せが、上述の内部抽選に当選した入賞に係る組合せと一致した場合、当該入賞が確定する。
【００３６】
前扉ＦＤの下部パネル部には、スロットマシンＳＭのモデルタイプを遊技者へ認識させる等のため、登場キャラクターの絵などを表示する表示パネルＬＰが設けられている。受皿ユニットＴＵには、入賞時等においてメダルを受皿部に排出するメダル払出口ＭＥＸと、スピーカを内蔵し演出効果音を発生させる演出用放音部ＳＡＢがそれぞれ配置されている。
【００３７】
次に、図２を参照して、スロットマシンＳＭの内部構造を説明する。図２は、前扉ＦＤを筐体ＭＢから開放した状態におけるスロットマシンＳＭの内部構造を表した正面図である。
【００３８】
まず、筐体ＭＢにおいて、その内側上部には、スロットマシンＳＭの全体動作を統括制御する主制御基板ＭＣＢが取り付けられている。なお、主制御基板ＭＣＢは、ＭＰＵ（Micro Processing Unit）、ＲＯＭ（Read Only Memory）、ＲＡＭ（Random Access Memory）、その他周辺機器と通信する制御信号の整合機能を有するインタフェース回路等の電子部品を実装する制御回路基板であり、透明な基板ケースに収容されて筐体ＭＢ内にカシメ固定されている。
【００３９】
筐体ＭＢの内側中央には、リールＲ１、Ｒ２、Ｒ３が回転軸方向に並べられたリールユニットＲＵが設けられている。リールユニットＲＵは、前扉ＦＤが筐体ＭＢ側に閉じられると上述の表示窓ＦＷにリールＲ１、Ｒ２、Ｒ３が対向するように、筐体ＭＢ内の所定の高さに固定されたフレームに位置決めされて取り付けられている。各リールＲ１、Ｒ２、Ｒ３は、それぞれの中心軸に連結するステッピングモータによって回転駆動される。リールユニットＲＵの上部には、各ステッピングモータへ４相の駆動パルス信号を送出する図示しない回胴装置基板が取り付けられており、主制御基板ＭＣＢが回胴装置基板に回胴駆動（励磁）パルスデータを送出することで、各リールの回転と制動及び停止の制御を行っている。
【００４０】
リールユニットＲＵの下方には、メダル投入部ＭＤから投入されたメダルを貯留し、入賞の配当の際に排出口からメダルを排出するホッパ装置ＨＰＵと、ホッパ装置ＨＰＵから溢れたメダルを収容するための補助貯留部ＭＳＴと、スロットマシンＳＭに内蔵される各機器へ電力を配電する主電源装置ＰＷＵが設けられている。
【００４１】
次に、前扉ＦＤの内側構造を説明する。前扉ＦＤの内側上部には、上述の演出用放音部ＳＡＬ、ＳＡＲに対向してスピーカＳＰＬ、ＳＰＲが取り付けられている。また、スピーカＳＰＬ、ＳＰＲの間に配置されている図示しない液晶表示ユニットＦＰＤの裏面に、当該液晶表示ユニット、スピーカＳＰＬ、ＳＰＲ等を制御駆動するサブ制御基板ＳＣＢが取り付けられている。サブ制御基板ＳＣＢは、液晶表示ユニットＦＰＤによる演出映像の表示制御、上部ランプＵＬ及びサイドランプＳＬ等を使った照明制御、及び演出用放音部ＳＡＬ、ＳＡＲ、ＳＡＢを使った演出効果音制御など、ゲームの演出に係る制御を主に行うための制御回路基板である。
【００４２】
サブ制御基板ＳＣＢの下方には、前面にリールＲ１、Ｒ２、Ｒ３を目視させるための透明な表示窓ＦＷを有するパネルユニットＰＵが取り付けられる。パネルユニットＰＵは、リールＲ１、Ｒ２、Ｒ３の外周面を照射して図柄を明るく表示させるための冷陰極蛍光ランプＣＦＬと、スタートレバーＳＴＬ及びストップボタンＳＴＰ１、ＳＴＰ２、ＳＴＰ３等の操作スイッチ類の出力信号を主制御基板ＭＣＢへ転送する中継基板である中央表示基板ＣＢＡとを備え、これらがユニット化されて形成されている。
【００４３】
パネルユニットＰＵの下方には、メダル選別装置ＭＳＵが取り付けられている。メダル選別装置ＭＳＵは、メダル投入部ＭＤに投入されたメダルの適否を判別し振り分ける装置である。また、メダル選別装置ＭＳＵに内蔵されるメダルセンサはメダル投入部ＭＤに投入された正規のメダルを検出し、その検出信号を主制御基板ＭＣＢへ送出する。
【００４４】
メダル選別装置ＭＳＵの下方には、メダル選別装置ＭＳＵによって振り分けられた正規のメダルを筐体ＭＢ内に設けられているホッパ装置ＨＰＵへ案内するガイド部材Ｇ１と、メダル選別装置ＭＳＵにより排除されたメダル（または異物）をメダル排出口ＭＥＸへ案内するガイド部材Ｇ２が設けられている。また、前扉ＦＤの裏面側下部には、ホッパ装置ＨＰＵの排出口から排出されたメダルをメダル排出口ＭＥＸへ案内するガイド部材Ｇ３が設けられている。更に、メダル排出口ＭＥＸに隣接して、上述した演出用放音部ＳＡＢに対向するスピーカＳＰＢが取り付けられている。
【００４５】
なお、図２には示していないが、主制御基板ＭＣＢは、両端にコネクタが設けられた所定長さのハーネスを介して、上述のサブ制御基板ＳＣＢや回胴装置基板等の制御回路基板、中央表示基板ＣＢＡ等の中継基板、ホッパ装置ＨＰＵ等の電子機器ユニット、更に主電源装置ＰＷＵ等に対し、制御信号及び操作信号等の通信を可能に、また所要の電力が供給できるように電気的に接続されている。
【００４６】
かかる構成のスロットマシンＳＭは、次のように概略動作する。すなわち、スロットマシンＳＭは、先のゲームにおいて入賞しメダルの払い出しが完了した時、又は先のゲームにおいてハズレが確定すると待機状態となる。この待機状態において、遊技者がメダル投入部ＭＤにメダルを投入し、またベットボタンＢＥＴを押圧操作して内部に貯留したメダル（クレジット）から当該ゲームに規定枚数のメダルを賭けると、ゲーム開始の状態になる。
【００４７】
主制御基板ＭＣＢは、ゲーム開始の状態で遊技者によるスタートレバーＳＴＬの傾倒操作を検知すると、３個のリールＲ１、Ｒ２、Ｒ３を一斉に回転させ始める。同時に入賞役を内部抽選し、その結果をフラグ（内部抽選フラグ）に記憶する。
【００４８】
次に、リールＲ１、Ｒ２、３が回転動作中にストップボタンＳＴＰ１、ＳＴＰ２、ＳＴＰ３の押圧操作を検知すると、それに応じて順次、各リールを停止させる制御を行う。そして、全てのリールＲ１、Ｒ２、Ｒ３の停止を検知することにより、各リールが表示する図柄と上述のフラグに対応する入賞役に係る図柄の組合せとが一致しているか否か判定する。
【００４９】
当選した入賞役に係る図柄が表示窓ＦＷに設定される有効ラインに揃い入賞が確定すると、当該入賞役の種類に応じて予め決められた配当数のメダルをクレジット数に加算するか、又はホッパ装置ＨＰＵを駆動して配当数のメダルを受皿ユニットＴＵの受皿部へ払い出す。
【００５０】
以上、本発明に係る回胴式遊技機の例としてスロットマシンＳＭの概要を説明したが、次に、本発明の特徴的な部分でもあるスロットマシンＳＭの温度管理装置の実施例を説明する。
【実施例１】
【００５１】
第１の実施例によるスロットマシンＳＭは、図１に示したように、筐体ＭＢの天板ＭＢａの略中央に矩形状の開口部１０１が形成され、この開口部１０１を塞ぐようにして、多数の通風孔が形成された金属製の多孔板１０２が取り付けられている。なお、筐体ＭＢの内部と外部の空気が連通する多数のこれら通風孔により、筐体ＭＢの天板に通風部が形成されている。
【００５２】
図３は、後方から見たスロットマシンＳＭの筐体ＭＢの背面図である。図３によれば、筐体ＭＢの背板ＭＢｂには、主制御基板（ＭＣＢ）及びリールユニット（ＲＵ）の背後に面して複数の長孔からなる通風孔１０３、１０４が形成されている。また、主電源装置（ＰＷＵ）の背後に面する領域には、主電源装置の投影像とほぼ同形で同寸法の開口部１０５が形成され、この開口部１０５を塞ぐように、多数の通風孔１０６が形成された金属製の多孔板が取り付けられている。
【００５３】
図４は、スロットマシンＳＭの筐体ＭＢを破断し、側方から見た内部構造を表す図である。図４を参照し、筐体ＭＢの天板に形成されている開口部１０１には、筐体ＭＢ内の空気を外部へ強制的に排気するための排気手段として、例えば、回転ファンを備える送風機１１０が取り付けられている。
【００５４】
送風機１１０は、例えばサブ制御基板ＳＣＢに、またはこれに隣接して設けられている制御回路である後述の温度管理制御手段（１４０）により駆動制御される。また、送風機１１０の吸気口付近には、例えばサーミスタである温度センサ１１１が配置されている。更に、筐体ＭＢの外部にも同様の温度センサ１１２が設けられ、これら温度センサは、上記温度管理制御手段（１４０）に接続されている。
【００５５】
上記温度管理制御手段により送風機１１０を駆動すると、筐体ＭＢの背板に形成されている通風孔１０３、１０４、１０６等を通して筐体外部の空気（外部空気）が筐体ＭＢ内に取り入れられ、天板の開口部１０１（通風孔）を通して上方へ排出される空気の流れが生じる。これにより、稼動状態にあるリールユニットＲＵ、主電源装置ＰＷＵ、ホッパ装置（ＨＰＵ）、主制御基板ＭＣＢ等の内部機器の損失熱を奪って筐体ＭＢ外部へ排出し、同時に筐体ＭＢ内の過熱温度を冷却するようになっている。
【００５６】
なお、上述の温度センサ１１１を送風機１１０の吸気口付近に設けたのは、筐体ＭＢ内の各機器を複数の熱源とする筐体内空気の平均的な温度を検知するためである。つまり、上述したように筐体ＭＢ内の空気は送風機１１０によって１つの通風部に集められて排気されるので、ここを通る空気の温度は、各機器の消費電力及び効率に起因する損失熱量の違いによる局所的な温度差を平均した温度とみなすことができ、筐体ＭＢ内の平均に近い気温を１つの温度センサで検知し得るようにするためである。
【００５７】
次に、上述の送風機１１０を使って筐体ＭＢ内の温度を管理調整する制御手段について、図５のブロック図に基づき説明する。
【００５８】
筐体ＭＢ内の気温（内気温度）を検知するための内気温度検知手段１２０は、上述の温度センサ１１１と、当該温度センサ１１１の出力を較正・増幅し所定の温度信号に変換する較正増幅部１２１とを有して構成される。また、筐体ＭＢ外の気温（外気温度）を検知するための外気温度検知手段１３０は、上述の温度センサ１１２と、同じく当該温度センサ１１２の出力を所定の温度信号に変換する較正増幅部１３１とを有して構成される。
【００５９】
これら温度検知手段の温度センサ１１１、１１２がサーミスタである場合、較正増幅部１２１、１３１は、定電流源と高入力インピーダンスの電圧増幅部とから構成することができる。すなわち、サーミスタは、温度に応じて電気抵抗が変化する特性を有しているので、サーミスタに一定の電流を供給することで、温度変化に応じた電圧出力が得られる。なお、サーミスタの温度−抵抗特性は、非線形ではあるが、本発明に適用する場合には、線形な特性に較正する手段を要しない。本発明においては、後述するように、検知温度と閾値温度等との比較で送風機１１０の駆動状態を切換制御すること、また温度管理制御のために検知する温度範囲も狭くサーミスタの非線形特性による検知誤差によっては制御上の精度に影響を与えない等の理由からである。このように温度センサとしてサーミスタを用いて簡素化した構成の温度検知手段を実現することができる。
【００６０】
内気温度及び外気温度の各温度検出手段１２０、１３０により検知した温度値を示す出力が、温度管理制御手段１４０へ供給される。温度管理制御手段１４０は、図５に示されるように、閾値設定部１４１、判定部１４３、駆動部１４４等の機能ブロックと、閾値判定部１４１が参照する閾値設定マップ１４２等の記憶データとを有して構成されている。
【００６１】
なお、温度管理制御手段１４０は、ハードウェアとしては、ＣＰＵ（Central Processing Unit）、ＲＯＭ（Read Only Memory）、ＲＡＭ（Random Access Memory）、ＩＯ（Input Output Unit）、ＡＤＣ（Analog to Digital Converter）、ＤＡＣ（Digital to Analog Converter）等を備えるマイコンをベースに形成される制御回路、及びパワーＭＯＳトランジスタ等を含む送風機１１０を駆動するための駆動回路を有している。上述の閾値設定部１４１、判定部１４３、及び駆動部１４４は、ＲＯＭに予め記憶されたプログラムに従ってＣＰＵが演算処理を行うことで実動し、上述の内気温度検出手段１２０、外気温度検出手段１３０、及びＲＯＭに記憶された閾値設定マップ１４２を参照しながら上記駆動回路を制御して送風機１１０の動作制御を行っている。
【００６２】
かかる構成の温度管理制御手段１４０による制御動作について以下詳細に説明する。
【００６３】
閾値設定部１４１は、送風機１１０をオンオフ制御する際にその動作状態を切り換える温度である閾値Ｔthを常時設定している。すなわち、閾値設定部１４１は、外気温度検出手段１３０により検出した外気温度Ｔｏに基づいて、例えば図６に示される閾値設定マップ１４２を参照し、閾値Ｔthを設定する。
【００６４】
図６の実施例によれば、温度センサ１１２を有する外気温度検出手段１３０により検知した外気温度Ｔｏが、予め実験的に定めた基準値Ｔｓ（例えばＴｓ＝２５°Ｃ）以下であれば、上記閾値Ｔthをこの基準値Ｔｓに一律に設定する。外気温度Ｔｏが基準値Ｔｓより高ければ、検知した外気温度Ｔｏに連動して閾値Ｔthを設定する。すなわち、閾値設定部１４１は、基準値Ｔｓ温度以下の外気温度Ｔo1が検知されると、閾値Ｔthを基準値Ｔｓに設定し、基準値Ｔｓより高い温度の外気温度Ｔo2が検知されると、閾値Ｔthを当該検知した外気温度Ｔo2に設定する。なお、この例の場合、図６から明らかなように、基準値Ｔｓが閾値温度として設定される外気温度の臨界値（最大値）は、基準値Ｔｓの温度と一致する。
【００６５】
判定部１４３は、温度センサ１１１により内気温度検出手段１２０が検知した筐体内の内気温度Ｔｉを入力し、閾値設定部１４１が設定した閾値Ｔthと比較する。すなわち、判定部１４３は、検知された内気温度Ｔｉが、設定された閾値Ｔthより高い場合には、駆動部１４４により送風機１１０を駆動状態に制御し、検知された内気温度Ｔｉが、閾値Ｔthよりも低い場合には、送風機１１０を停止状態に制御する。
【００６６】
実際には、判定部１４３は、閾値Ｔthにヒステリシスを持たせて送風機１１０の状態をオンオフ制御する。すなわち、送風機１１０が停止状態において、閾値Ｔthよりも一定以上（例えばＴth＋１°Ｃ）の内気温度Ｔｉを検知した時に、送風機１１０を駆動状態に制御し、送風機１１０が駆動状態において、閾値Ｔthよりも一定以下（例えばＴth−１°Ｃ）の内気温度Ｔｉを検知した時に、送風機１１０を停止状態に制御する。これにより、閾値温度Ｔth付近での筐体内の温度Ｔｉの変動に伴う送風機１１０の頻繁な切り換え動作を抑制して制御を安定化させるとともに、送風機１１０の切り換え動作によるエネルギー損失を減らし性能劣化を防止する。
【００６７】
なお、閾値設定部１４１は、図７に示される特性の閾値設定マップ１４２を参照して、上述の閾値Ｔthを設定してもよい。図７の実施例によれば、外気温度検出手段１３０が検知した外気温度Ｔｏが、臨界値（一律に閾値温度Ｔthを基準値Ｔｓに設定する外気温度の最大値、本実施例ではＴｓ−オフセット値）を超えた場合、外気温度Ｔo2に実験的に求めた所定のオフセット値を加えた値が閾値Ｔthとして設定される。
【００６８】
このように、高温の稼動条件下でオフセットを持たせて閾値Ｔthを設定することにより、筐体ＭＢ内の機器のエネルギー損失による温度上昇状態を効果的に、かつ可及的に低減させることができる。すなわち、筐体ＭＢ内の温度Ｔｉは、内部機器（送風機１１０も含めて）を熱源とする発生熱量と、外気を筐体内に導入することで回収される回収熱量との熱収支バランスで決まり、その定常的な筐体内の温度Ｔｉは、実際上そのときの外気温度Ｔｏより上記機器等から発生させる熱量分だけ高くなる。よって、内部機器の損失熱に起因する定常的な温度上昇分を実験的に求め、これを上述のオフセット値とすれば、高温環境の稼動条件下において上述の熱収支のバランスが得られた時に送風機１１０を停止状態に制御することができる。これにより、特に高温環境下での無駄な冷却動作をなくすとともに、効率良く筐体ＭＢ内の温度管理ができるようになる。
【００６９】
本温度管理装置を搭載する実施形態のスロットマシンＳＭによれば、以下に示す進歩的で有利な効果が期待できる。
【００７０】
本スロットマシンＳＭに、筐体ＭＢ内の空気を強制的に外部へ排気する送風機１１０を設けたので、従来の通気孔による自然吸排のみに任せていた冷却手法に比較して、効果的に筐体ＭＢ内の過熱状態を解消することができる。
【００７１】
また、設定した閾値温度よりも筐体ＭＢ内の温度が上昇した場合にのみ、送風機１１０を駆動して積極冷却するので、無駄な冷却動作をなくすとともに、効率良く筐体ＭＢ内の温度管理ができるようになる。また、送風機１１０を常時駆動するのに比して長期に使用することができる。
【００７２】
また、筐体ＭＢ外の外気温度が予め定めた臨界値より高い場合、上記閾値温度を当該外気温度に連動して設定することで、内部機器による発生熱量と熱交換装置による回収熱量の熱収支バランスが得られた時に送風機１１０を停止状態に制御することができる。これにより、特に高温環境の稼動条件下であっても、筐体ＭＢ内の過熱状態を効果的に、かつ可及的に低減することができる。
【実施例２】
【００７３】
次に、本発明に係る温度管理装置の第２の実施例によるスロットマシンＳＭを説明する。図８に示す本実施例によるスロットマシンＳＭは、筐体ＭＢの天板、及び側板により内部を密封した形態を有している。本実施例によるスロットマシンＳＭは、筐体ＭＢ内部への針金等の不正器具の侵入や、針金等を侵入させて遊技機を誤作動させる等の不正なアクセスを防止するために、かかる密封構造を採用することが可能となっている。しかし、より効果的な冷却を優先する場合には、第１の実施例（図１参照）と同様に、通気孔からなる通風部を筐体ＭＢの天板に形成してもよい。
【００７４】
図９は、スロットマシンＳＭの筐体ＭＢを破断し、側方から見た内部構造を表す図、図１０は、前扉（ＦＤ）と、リールユニット（ＲＵ）等の機器類を取り外した状態の筐体ＭＢの内部構造を表した正面図である。これらの図を参照し、筐体ＭＢ内には、金属等の管部材により循環経路２１３が設けられている。
【００７５】
この循環経路２１３にあっては、少なくとも主制御基板ＭＣＢ、リールユニットＲＵ、及び主電源装置ＰＷＵの背後側に近接し筐体ＭＢの背板に挟まれた領域２１３ａ、２１３ｂ、２１３ｃにおいて管部材が蛇行して配設され、これらが連絡して一巡することで当該循環経路２１３が形成されている。
【００７６】
循環経路２１３には、流動性を有する（液状の）冷却媒体が充填されている。冷却媒体は、例えば水または油が望ましく、若しくは水と油とを混濁（乳化）させたエマルジョンであってもよい。これらは、比熱（質量当たりの熱容量）が比較的大きいので、筐体内を循環させることで効果的な冷却を可能にする。また、取り扱いが容易で経済的でもある。
【００７７】
循環経路２１３には、冷却媒体を循環させるポンプ装置２１０と、ポンプ装置２１０に接続しユニット化された熱交換装置としてのラジエター２１４が介在して設けられている。ラジエター２１４は、循環経路２１３の蛇行する領域２１３ｂの背後側に設けられ、筐体ＭＢの背板に複数形成されている孔２０４を通して筐体外の空気と冷却媒体との熱交換が可能となっている。
【００７８】
ラジエター２１４とユニット化されて設けられているポンプ装置２１０は、例えばサブ制御基板ＳＣＢに、またはこれに隣接して設けられている制御回路である後述の温度管理制御手段（２４０）により駆動制御される。
【００７９】
筐体ＭＢの上部には、例えばサーミスタである温度センサ２１１が配置されている。更に、筐体ＭＢの外部にも同様の温度センサ２１２が設けられ、これら温度センサは、上記温度管理制御手段（２４０）に接続されている。
【００８０】
温度管理制御手段（２４０）によりポンプ装置２１０を駆動すると、冷却媒体がラジエター２１４内に突出され、筐体ＭＢ外の空気と熱交換することで外気温度とほぼ同温の冷却媒体が循環経路２１３内に吐き出される。循環経路２１３を形成している管部材は、稼動状態にあるリールユニットＲＵ、主電源装置ＰＷＵ、ホッパ装置（ＨＰＵ）、主制御基板ＭＣＢ等に隣接し蛇行して配置されているので、吐き出された冷却媒体は、これらの内部機器の損失熱を効率良く回収しながら循環経路２１３内を移動しポンプ装置２１０へ戻る。熱を回収して温められた冷却媒体は、ラジエター２１４によって熱を外部へ放熱して外気と熱交換するとともに、冷却されて再び内部機器側の循環経路２１３へ吐き出される。このように、ポンプ装置２１０を駆動して冷却媒体を循環経路２１３に循環させることで、稼動状態にあるリールユニットＲＵ、主電源装置ＰＷＵ、ホッパ装置（ＨＰＵ）、主制御基板ＭＣＢ等の内部機器の損失熱を奪い、同時に筐体ＭＢ内の過熱温度を冷却するようになっている。
【００８１】
なお、循環経路２１３を循環する冷却媒体には、潤滑剤が添加されることが望ましい。これによれば、循環経路２１３を形成する管部材との摩擦が少なくなり循環する際の負荷が低減するため効率が向上する。また、ポンプ装置２１０の経時的な性能劣化を抑制することができる。
【００８２】
また、ラジエターである熱交換装置を筐体ＭＢ内に設置した実施例を説明したが、熱交換装置を筐体ＭＢ外部に設けてもよい。
【００８３】
次に、上述の循環経路２１３を使って筐体ＭＢ内の温度を管理調整する制御手段について、図１１のブロック図に基づき説明する。
【００８４】
筐体ＭＢ内の気温（内気温度）を検知するための内気温度検知手段２２０は、上述の温度センサ２１１と、当該温度センサ２１１の出力を較正・増幅し所定の温度信号に変換する較正増幅部２２１とを有して構成される。また、筐体ＭＢ外の気温（外気温度）を検知するための外気温度検知手段２３０は、上述の温度センサ２１２と、同じく当該温度センサ２１２の出力を所定の温度信号に変換する較正増幅部２３１とを有して構成される。
【００８５】
これら温度検知手段の温度センサ２１１、２１２がサーミスタである場合、較正増幅部２２１、２３１は、定電流源と高入力インピーダンスの電圧増幅部とから構成することができる。すなわち、サーミスタは、温度に応じて電気抵抗が変化する特性を有しているので、サーミスタに一定の電流を供給することで、温度変化に応じた電圧出力が得られる。なお、サーミスタの温度−抵抗特性は、非線形ではあるが、本発明に適用する場合には、線形な特性に較正する手段を要しない。本発明においては、後述するように、検知温度と閾値温度等との比較でポンプ装置２１０の駆動状態を切換制御すること、また温度管理制御のために検知する温度範囲も狭くサーミスタの非線形特性による検知誤差によっては制御上の精度に影響を与えない等の理由からである。このように温度センサとしてサーミスタを用いて簡素化した構成の温度検知手段を実現することができる。
【００８６】
内気温度及び外気温度の各温度検出手段２２０、２３０により検知した温度値を示す出力が、温度管理制御手段２４０へ供給される。温度管理制御手段２４０は、図１１に示されるように、閾値設定部２４１、判定部２４３、駆動部２４４等の機能ブロックと、閾値判定部２４１が参照する閾値設定マップ２４２等の記憶データとを有して構成されている。
【００８７】
なお、温度管理制御手段２４０は、ハードウェアとしては、ＣＰＵ（Central Processing Unit）、ＲＯＭ（Read Only Memory）、ＲＡＭ（Random Access Memory）、ＩＯ（Input Output Unit）、ＡＤＣ（Analog to Digital Converter）、ＤＡＣ（Digital to Analog Converter）等を備えるマイコンをベースに形成される制御回路、及びパワーＭＯＳトランジスタ等を含むポンプ装置２１０を駆動するための駆動回路を有している。上述の閾値設定部２４１、判定部２４３、及び駆動部２４４は、ＲＯＭに予め記憶されたプログラムに従ってＣＰＵが演算処理を行うことで実動し、上述の内気温度検出手段２２０、外気温度検出手段２３０、及びＲＯＭに記憶された閾値設定マップ２４２を参照しながら上記駆動回路を制御してポンプ装置２１０の動作制御を行っている。
【００８８】
かかる構成の温度管理制御手段２４０による制御動作について以下詳細に説明する。
【００８９】
閾値設定部２４１は、ポンプ装置２１０をオンオフ制御する際にその動作状態を切り換える温度である閾値Ｔthを常時設定している。すなわち、閾値設定部２４１は、外気温度検出手段２３０により検出した外気温度Ｔｏに基づいて、例えば図１２に示される閾値設定マップ２４２を参照し、閾値Ｔthを設定する。
【００９０】
図１２の実施例によれば、温度センサ２１２を有する外気温度検出手段２３０により検知した外気温度Ｔｏが、予め実験的に定めた基準値Ｔｓ（例えばＴｓ＝２５°Ｃ）以下であれば、上記閾値Ｔthをこの基準値Ｔｓに一律に設定する。外気温度Ｔｏが基準値Ｔｓより高ければ、検知した外気温度Ｔｏに連動して閾値Ｔthを設定する。すなわち、閾値設定部２４１は、基準値Ｔｓ温度以下の外気温度Ｔo1が検知されると、閾値Ｔthを基準値Ｔｓに設定し、基準値Ｔｓより高い温度の外気温度Ｔo2が検知されると、閾値Ｔthを当該検知した外気温度Ｔo2に設定する。なお、この例の場合、図１２から明らかなように、基準値Ｔｓが閾値温度として設定される外気温度の臨界値（最大値）は、基準値Ｔｓの温度と一致する。
【００９１】
判定部２４３は、温度センサ２１１により内気温度検出手段２２０が検知した筐体内の内気温度Ｔｉを入力し、閾値設定部２４１が設定した閾値Ｔthと比較する。すなわち、判定部２４３は、検知された内気温度Ｔｉが、設定された閾値Ｔthより高い場合には、駆動部２４４によりポンプ装置２１０を駆動状態に制御し、検知された内気温度Ｔｉが、閾値Ｔthよりも低い場合には、ポンプ装置２１０を停止状態に制御する。
【００９２】
実際には、判定部２４３は、閾値Ｔthにヒステリシスを持たせてポンプ装置２１０の状態をオンオフ制御する。すなわち、ポンプ装置２１０が停止状態において、閾値Ｔthよりも一定以上（例えばＴth＋１°Ｃ）の内気温度Ｔｉを検知した時に、ポンプ装置２１０を駆動状態に制御し、ポンプ装置２１０が駆動状態において、閾値Ｔthよりも一定以下（例えばＴth−１°Ｃ）の内気温度Ｔｉを検知した時に、ポンプ装置２１０を停止状態に制御する。これにより、閾値温度Ｔth付近での筐体内の温度Ｔｉの変動に伴うポンプ装置２１０の頻繁な切り換え動作を抑制して制御を安定化させるとともに、ポンプ装置２１０の切り換え動作によるエネルギー損失を減らし性能劣化を防止する。
【００９３】
なお、閾値設定部２４１は、図１３に示される特性の閾値設定マップ２４２を参照して、上述の閾値Ｔthを設定してもよい。図１３の実施例によれば、外気温度検出手段２３０が検知した外気温度Ｔｏが、臨界値（一律に閾値温度Ｔthを基準値Ｔｓに設定する外気温度の最大値、本実施例ではＴｓ−オフセット値）を超えた場合、外気温度Ｔo2に実験的に求めた所定のオフセット値を加えた値が閾値Ｔthとして設定される。
【００９４】
このように、高温の稼動条件下でオフセットを持たせて閾値Ｔthを設定することにより、筐体ＭＢ内の機器のエネルギー損失による温度上昇状態を効果的に、かつ可及的に低減させることができる。すなわち、筐体ＭＢ内の温度Ｔｉは、内部機器（ポンプ装置２１０も含めて）を熱源とする発生熱量と、外気温度により変動するラジエター２１０の熱交換量との熱収支バランスで決まり、その定常的な筐体内の温度Ｔｉは、実際上そのときの外気温度Ｔｏより上記機器等から発生させる熱量分だけ高くなる。よって、内部機器の損失熱に起因する定常的な温度上昇分を実験的に求め、これを上述のオフセット値とすれば、高温環境の稼動条件下において上述の熱収支のバランスが得られた時にポンプ装置２１０を停止状態に制御することができる。これにより、特に高温環境下での無駄な冷却動作をなくすとともに、効率良く筐体ＭＢ内の温度管理ができるようになる。
【００９５】
本温度管理装置を搭載する実施形態のスロットマシンＳＭによれば、以下に示す進歩的で有利な効果が期待できる。
【００９６】
本スロットマシンＳＭの筐体ＭＢ内に、外気と熱交換可能な液冷式の循環経路２１３を設けポンプ装置２１０により冷却媒体を循環させるので、従来の通気孔による自然吸排のみに任せていた冷却手法に比較して、効果的に筐体ＭＢ内の過熱状態を解消することができる。
【００９７】
また、設定した閾値温度よりも筐体ＭＢ内の温度が上昇した場合にのみ、ポンプ装置２１０を駆動して積極冷却するので、ポンプ装置２１０等を含む冷却媒体循環系の経時劣化を抑制し長期使用が可能となる。また、無駄な冷却動作をなくすとともに、効率良く筐体ＭＢ内の温度管理ができるようになる。
【００９８】
また、筐体ＭＢ外の外気温度が予め定めた臨界値より高い場合、上記閾値温度を当該外気温度に連動して設定することで、内部機器による発生熱量と熱交換装置による回収熱量の熱収支バランスが得られた時にポンプ装置２１０を停止状態に制御することができる。これにより、特に高温環境の稼動条件下であっても、筐体ＭＢ内の過熱状態を効果的に、かつ可及的に低減することができる。
【図面の簡単な説明】
【００９９】
【図１】図１は、実施形態によるスロットマシンの外観構造を表した斜視図である。
【図２】図２は、前扉を開放した状態におけるスロットマシンの内部構造を表した図である。
【図３】図３は、実施例１によるスロットマシンの背面図である。
【図４】図４は、実施例１によるスロットマシンの側方から見た内部構造を表す図である。
【図５】図５は、実施例１による温度管理装置の制御ブロック図である。
【図６】図６は、実施例１による温度管理装置が参照する閾値設定マップの一例である。
【図７】図７は、実施例１による温度管理装置が参照する閾値設定マップの他の例である。
【図８】図８は、実施例２によるスロットマシンの外観構造を表した斜視図である。
【図９】図９は、実施例２によるスロットマシンの側方から見た内部構造を表す図である。
【図１０】図１０は、実施例２によるスロットマシンにおいて、前扉と内部機器類を取り外した状態の筐体内部の構造を表した正面図である。
【図１１】図１１は、実施例２による温度管理装置の制御ブロック図である。
【図１２】図１２は、実施例２による温度管理装置が参照する閾値設定マップの一例である。
【図１３】図１３は、実施例２による温度管理装置が参照する閾値設定マップの他の例である。
【符号の説明】
【０１００】
ＳＭ…スロットマシン、
ＦＤ…前扉、  ＭＢ…筐体、  ＭＢａ…天板、  ＭＢｂ…背板、
ＴＵ…受皿ユニット、  ＵＬ…上部ランプ、  ＳＬ…サイドランプ、
ＳＡＬ、ＳＡＲ、ＳＡＢ…演出用放音部、  ＦＰＤ…液晶表示ユニット、
ＰＵ…パネルユニット、  ＦＷ…表示窓、
ＲＵ…リールユニット、  Ｒ１、Ｒ２、Ｒ３…リール、
ＯＰ…操作卓、  ＭＤ…メダル投入部、  ＢＥＴ…ベットボタン、
ＳＴＬ…スタートレバー、  ＳＴＰ１、ＳＴＰ２、ＳＴＰ３…ストップボタン、
ＭＥＸ…メダル払出口、  ＬＰ…表示パネル、
ＭＣＢ…主制御基板、  ＨＰＵ…ホッパ装置、  ＭＳＴ…補助貯留部、
ＰＷＵ…主電源装置、
ＳＰＬ、ＳＰＲ…スピーカ、  ＳＣＢ…サブ制御基板、
ＣＢＡ…中央表示基板、  ＣＦＬ…冷陰極蛍光ランプ、
Ｇ１、Ｇ２、Ｇ３…ガイド部材、ＭＳＵ…メダル選別装置、
Ｔth…閾値、  Ｔｓ…基準値、  Ｔｉ…内気温度、  Ｔｏ…外気温度、
１０１…開口部、  １０２…多孔板、  １０３、１０４…通風孔、
１０５…開口部、  １０６…通風孔、
１１０…送風機、  １１１、１１２…温度センサ、
１２０…内気温度検知手段、  １２１…較正増幅部、
１３０…外気温度検知手段、  １３１…較正増幅部、
１４０…温度管理制御手段、  １４１…閾値設定部、
１４２…閾値設定マップ、  １４３…判定部、  １４４…駆動部、
２０４…孔、  ２１０…ポンプ装置、  ２１１、２１２…温度センサ、
２１３…循環経路、  ２１４…ラジエター、
２２０…内気温度検知手段、  ２２１…較正増幅部、
２３０…外気温度検知手段、  ２３１…較正増幅部、
２４０…温度管理制御手段、  ２４１…閾値設定部、
２４２…閾値設定マップ、  ２４３…判定部、  ２４４…駆動部
【図１】
2006167357.tif 000003
【図２】
2006167357.tif 000004
【図３】
2006167357.tif 000005
【図４】
2006167357.tif 000006
【図５】
2006167357.tif 000007
【図６】
2006167357.tif 000008
【図７】
2006167357.tif 000009
【図８】
2006167357.tif 000010
【図９】
2006167357.tif 000011
【図１０】
2006167357.tif 000012
【図１１】
2006167357.tif 000013
【図１２】
2006167357.tif 000014
【図１３】
2006167357.tif 000015